(57)【特許請求の範囲】
【請求項１】
光透過性支持体上に、周辺配線部を介して端子部に電気的に接続されるセンサー部と、上記端子部とは電気的に接続されないダミー部を少なくとも有し、上記センサー部および上記ダミー部は複数の多角形が集合した網目形状の金属細線パターンを有し、上記ダミー部内の金属細線パターンは断線部を有し、かつ上記ダミー部内の金属細線パターンが下記１）の要件を満たす領域、および／または２）の要件を満たす領域を有することを特徴とする光透過性導電材料。
１）断線部を有さない多角形と頂点を共有する全ての多角形が、少なくとも１つの断線部を有する。
２）辺または頂点を共有しかつ断線部を有さない２つの多角形と頂点を共有する全ての多角形が、少なくとも１つの断線部を有する。
【発明の詳細な説明】
【技術分野】
【０００１】
本発明は、タッチパネル、有機ＥＬ材料、太陽電池などに用いられる光透過性導電材料に関し、特に投影型静電容量方式のタッチパネルに好適に用いられる光透過性導電材料に関するものである。
【背景技術】
【０００２】
パーソナル・デジタル・アシスタント（ＰＤＡ）、ノートＰＣ、スマートフォン、タブレット等のスマートデバイス、ＯＡ機器、医療機器、あるいはカーナビゲーションシステム等の電子機器においては、これらのディスプレイに入力手段としてタッチパネルが広く用いられている。
【０００３】
タッチパネルには、位置検出の方法により光学方式、超音波方式、表面型静電容量方式、投影型静電容量方式、抵抗膜方式などがある。抵抗膜方式のタッチパネルは、光透過性導電材料と光透過性導電層付ガラスとがスペーサーを介して対向配置されており、光透過性導電材料に電流を流し光透過性導電層付ガラスにおける電圧を計測するような構造となっている。一方、静電容量方式のタッチパネルは、光透過性支持体上に光透過性導電層を有するものを基本的構成とし、可動部分がないことが特徴であり、高耐久性、高透過率を有するため、様々な用途において適用され、さらに投影型静電容量方式のタッチパネルは多点同時検出ができることから、スマートフォンやタブレットＰＣなどに広く用いられている。
【０００４】
従来、タッチパネル用途の透明電極（光透過性導電材料）としては、一般にＩＴＯ（インジウム−錫酸化物）導電膜からなる光透過性導電層が光透過性支持体上に形成されたものが使用されてきた。しかしながらＩＴＯ導電膜は屈折率が大きく、光の表面反射が大きいため、ＩＴＯ導電膜を用いた光透過性導電材料では全光線透過率が低下する問題や、可撓性が低いため屈曲した際にＩＴＯ導電膜に亀裂が生じて電気抵抗値が高くなる等の問題があった。
【０００５】
ＩＴＯ導電膜に代わる光透過性導電材料として、光透過性支持体上に薄い触媒層を形成し、その上にレジストパターンを形成した後、めっき法によりレジスト開口部に金属層を積層し、最後にレジスト層およびレジスト層で保護された下地金属を除去する方法（セミアディティブ法）により得られる、光透過性支持体上に網目形状を有する金属細線パターンが形成された光透過性導電材料が、例えば特開２００７−２８７９９４号公報、特開２００７−２８７９５３号公報などに開示されている。
【０００６】
また近年、銀塩拡散転写法を用いた銀塩写真感光材料を導電性材料前駆体として用いて、網目形状を有する金属細線パターンを作製する方法も提案されている。例えば特開２００３−７７３５０号公報、特開２００５−２５０１６９号公報、および特開２００７−１８８６５５号公報等では、光透過性支持体上に物理現像核層とハロゲン化銀乳剤層を少なくともこの順に有する導電性材料前駆体に、可溶性銀塩形成剤および還元剤をアルカリ液中で作用させて、銀からなる金属細線パターンを形成させる技術が開示されている。この方式による金属細線のパターニングは均一な線幅を再現することができることに加え、銀は金属の中で最も導電性が高いため、他方式に比べ、より細い線幅で高い導電性を得ることができる。さらにこの方法で得られた光透過性の導電層は、ＩＴＯ導電膜よりも可撓性が高く折り曲げに強いという利点がある。
【０００７】
投影型静電容量方式を用いたタッチパネルは、タッチセンサーとして、複数のセンサー部が同一平面上にパターニングされた光透過性導電材料を有する。このようなタッチセンサーにおいては、複数のセンサー部のみを有する光透過性導電材料によってタッチセンサーを構成するとセンサー部が目立ってしまう。このため該光透過性導電材料のセンサー部以外の部分に、センサー部と導通のないダミー部を配置することが一般に行われる。例えば、特許文献１では、スリットにより金属細線パターンを分割することで、センサー部とダミー部を配置する方法が提案されており、特許文献２では、金属細線パターン内に断線部を設けることでセンサー部と導通が遮断されたダミー部を形成し、かつセンサー部とダミー部の開口率の差を特定した光透過性導電材料が提案されている。また特許文献３では、センサー部が有する網目形状の金属細線パターンと、ダミー部が有する網目形状の金属細線パターンとを、センサー部とダミー部の境界に沿ってずらした形状とすることにより、センサー部と導通が遮断されたダミー部を配置する方法が提案されている。さらに特許文献４では、断線部を有する複数の多角形が集合して形成された網目形状の金属細線パターンからなるダミー部が記載され、特許文献５では、センサー部とは断線部を介して隔てられているフローティング電極（ダミー部）を設ける方法が提案されている。
【先行技術文献】
【特許文献】
【０００８】
【特許文献１】特開２００６−３４４１６３号公報
【特許文献２】特開２０１３−３０３７８号公報
【特許文献３】特開２０１４−１２７１１５号公報
【特許文献４】特開２０１４−１８６７１６号公報
【特許文献５】特開２０１４−１０９９９７号公報
【発明の概要】
【発明が解決しようとする課題】
【０００９】
網目形状の金属細線パターンを有する光透過性導電材料においては、センサー部とダミー部の形状の視認性（パターンの見え難さ）を確保すると同時に、光透過性導電材料を製造する時に生じる短絡を極力低下させることが求められる。短絡に関しては、ダミー部の金属細線パターン内に設けられる断線部の幅（断線部分の長さ）を十分に確保することで解消することが可能であるが、断線部の幅を十分に確保すると、光透過性支持体上にパターニングされたセンサー部とダミー部の形状が認識できてしまうという、所謂骨見えという現象が生じる場合があった。よって、上述した光透過性導電材料を製造する際の短絡の発生を低減するという課題と、骨見えを低減するという課題は、互いに相反するものであるから、これらを両立することは非常に困難であった。
【００１０】
また投影型静電容量方式を用いたタッチパネルでは、一般的に複数のセンサー部が同一平面上にパターニングされた光透過性導電材料を２枚重ね、上下のセンサー部が重なった箇所がコンデンサーとなる。そして、作業者が触れた時の該コンデンサーの容量変化を捉えることで、タッチセンサーとして作動する。このコンデンサーの容量が小さい方が、センサー感度が高くなるので好ましい。
【００１１】
一般的にコンデンサーの容量は極板（上述した、上下のセンサー部が重なった箇所）の面積に比例し、極板間の距離に反比例することが知られている。さらに該コンデンサーに導体が近接している場合、その影響によりコンデンサーの容量が変化することがあり、この変化量は寄生容量という名で知られている。
【００１２】
特許文献１〜５に記載されているように、網目形状の金属細線パターンを有する光透過性導電材料では、ダミー部にも導体である金属細線パターンが配置される。従って投影型静電容量方式を用いたタッチパネルでは、上下のセンサー部が重なった箇所に断線部を有する金属細線パターン（ダミー部）が近接することから、ダミー部により寄生容量が発生し、これがタッチパネルの感度を落とす原因となっていた。
【００１３】
本発明の課題は、高感度なタッチパネルを与えることが可能であって、骨見えと短絡の発生が低減された光透過性導電材料を提供することにある。
【課題を解決するための手段】
【００１４】
本発明の上記課題は、以下の発明によって達成される。
光透過性支持体上に、周辺配線部を介して端子部に電気的に接続されるセンサー部と、上記端子部とは電気的に接続されないダミー部を少なくとも有し、上記センサー部および上記ダミー部は複数の多角形が集合した網目形状の金属細線パターンを有し、上記ダミー部内の金属細線パターンは断線部を有し、かつ上記ダミー部内の金属細線パターンが下記１）の要件を満たす領域、および／または２）の要件を満たす領域を有することを特徴とする光透過性導電材料。
１）断線部を有さない多角形と頂点を共有する全ての多角形が、少なくとも１つの断線部を有する。
２）辺または頂点を共有しかつ断線部を有さない２つの多角形と頂点を共有する全ての多角形が、少なくとも１つの断線部を有する。
【発明の効果】
【００１５】
本発明により、高感度であり、骨見えと短絡の発生が低減された光透過性導電材料を提供することができる。
【図面の簡単な説明】
【００１６】
【図１】本発明の光透過性導電材料の一例を示す概略図
【図２】本発明の光透過性導電材料の一例を示す概略拡大図
【図３】本発明の光透過性導電材料のまた別の一例を示す概略拡大図
【図４】実施例で用いた透過原稿の図
【図５】実施例で用いた透過原稿の図
【図６】実施例で用いた透過原稿の図
【図７】実施例で用いた透過原稿の図
【図８】実施例で用いた透過原稿の図
【図９】実施例で用いた透過原稿の図
【図１０】実施例で用いた透過原稿の図
【図１１】実施例で用いた透過原稿の図
【図１２】実施例で用いた透過原稿の図
【図１３】本発明の光透過性導電材料のまた別の一例を示す概略拡大図
【図１４】実施例で用いた透過原稿の図
【発明を実施するための形態】
【００１７】
以下、本発明を図面を用いて詳細に説明する。
図１は本発明の光透過性導電材料の一例を示す概略図である。図１において本発明の光透過性導電材料１は、光透過性支持体２上に、端子部１５と、周辺配線部１４と、複数の多角形が集合した網目状の金属細線パターンを有するセンサー部１１と、複数の多角形が集合した網目形状の金属細線パターンを有し、かつ該金属細線パターン中に断線部を有するダミー部１２を有する。センサー部１１は周辺配線部１４を介し端子部１５に電気的に接続しており、この端子部１５を通して外部に電気的に接続することで、センサー部１１で感知した静電容量の変化を捉えることができる。一方、ダミー部１２は端子部１５に電気的に接続されていない。なお、図１においてセンサー部１１とダミー部１２は実在しない仮の境界線ａにてそれらの領域を表している（センサー部１１およびダミー部１２は無地にて示したが、実際には金属細線パターンが存在する。）。さらに本発明の光透過性導電材料には金属パターンの無い非画像部１３やセンサー部１１に電気的に接続していないアース部（図示していない）などを有することもできる。
【００１８】
図１における、センサー部１１とダミー部１２は複数の多角形が集合した網目形状を有する金属細線パターンを有する。該金属細線パターンの線幅は２０μｍ以下であることが好ましく、より好ましくは１〜１５μｍであり、さらに好ましくは２〜１０μｍである。センサー部１１およびダミー部１２の開口率（センサー部１１あるいはダミー部１２の面積に対する、金属細線の無い部分が占める面積の割合）は８６％以上が好ましく、さらに好ましくは９５〜９８％である。センサー部１１とダミー部１２を構成する金属細線パターンは複数の多角形が集合した網目形状の金属細線パターンである。この多角形としては例えば正三角形、二等辺三角形、直角三角形などの三角形、正方形、長方形、平行四辺形、台形、菱形などの四角形、（正）六角形、（正）八角形、（正）十二角形、（正）二十角形などの（正）ｎ角形、星形、およびこれらが複合された形状などが挙げられ、また多角形の辺は、直線でなくとも例えばジグザグ線、波線、曲線などで構成されていても良い。
【００１９】
本発明においてセンサー部１１およびダミー部１２は、これら多角形が複数個集まって網目形状の金属細線パターンを形成するが、該金属細線パターンは規則的なパターンでも良いし、あるいはランダムなパターンであっても良い。
【００２０】
本発明において規則的なパターン（以下規則的パターンとも記載）とは、多角形が集まる際に規則性が認められることを意味し、同一の形状および大きさを有する多角形が規則的に集合したパターン、あるいは複数種の形状および大きさを有する多角形が、規則性を維持して集合したパターン等が例示できる。一方、本発明においてランダムなパターン（以下ランダムパターンとも記載）とは、集まった多角形の形状、および該多角形が集まる際の繰り返し性に対し、規則性を有さないパターンのことを意味する。ただし、センサー部１１およびダミー部１２の領域内の全てにおいて、集まった多角形の形状および該多角形が集まる際の繰り返し性に規則性が無いと、センサー部１１およびダミー部１２を有する光透過性導電材料の設計が極めて煩雑となるため、少なくとも１０平方ミリメートルのパターン領域内において、多角形の形状、および該多角形が集まる際の繰り返し性に規則性が認められなければ、該網目形状の金属細線パターンはランダムパターンであるとする。
【００２１】
センサー部１１およびダミー部１２が規則的パターンである場合、繰り返される規則的な図形の最小単位を単位図形と呼ぶ。センサー部１１とダミー部１２の単位図形の形状は、同じ形状でも、異なる形状であっても良いが、「骨見え」を低減する観点から同じ形状であることが好ましい。また該単位図形の大きさも同じであることが好ましい。ただし、断線部の有無、断線部の位置、および断線部の幅が異なる等の差については、単位図形の形状が同じであるか否かの判断には含めないものとする。なお本発明において、複数種の液晶パネル（ＬＣＤ）に用いてもモアレなどが起きない汎用タッチパネル用として光透過性導電材料を作製する場合、センサー部１１とダミー部１２は、ランダムパターンにより形成された網目形状を有することが好ましい。一方、特定のＬＣＤに対する専用タッチパネル用として光透過性導電材料を作製する場合や、ランダムパターンを用いた際の特有の問題である「砂目」を回避する場合には、センサー部１１とダミー部１２は、規則的パターンにより形成された網目形状を有することが好ましい。
【００２２】
本発明において、センサー部１１とダミー部１２が規則的パターンにより形成された網目形状を有する場合、液晶ディスプレイとのモアレ現象を回避する観点から、好ましい単位図形の形状は正方形および菱形であり、さらには一つの頂点の角度が３０〜８０°の菱形であることがより好ましい。
【００２３】
また光透過性支持体２上に、センサー部１１、あるいはダミー部１２を配置し、これらを配置する際に周期が有る場合、例えば図１においては、センサー部１１およびダミー部１２はｙ方向に周期Ｌを有しているが、その場合、単位図形のｙ方向の周期Ｐｙは周期Ｌの２倍の長さの整数分の１である（Ｐｙ＝２Ｌ／Ｎ、ただし、Ｎは任意の自然数）ことが好ましい。さらに、センサー部１１やダミー部１２が伸びる方向（図１におけるｘ方向）に対し、センサー部１１あるいはダミー部１２の形状に周期が有る場合（図１における周期Ｍ）、あるいは投影型静電容量方式のタッチパネルを作製する際に、対になる光透過性導電材料があり、かつ該光導電性材料に前述のセンサー部１１やダミー部１２が伸びる方向に周期が有る場合（図示せず）、その周期に対し、単位図形のセンサー部１１やダミー部１２が伸びる方向（図１中のｘ方向）の周期Ｐｘは、該周期（図１におけるＭ）の２倍の長さの整数分の１である（Ｐｘ＝２Ｍ／Ｏ、ただし、Ｏは任意の自然数）ことが好ましい。このようにすることで、均一な感度を有するタッチセンサーを提供するのに好適な、光透過性導電材料を得ることができる。
【００２４】
本発明において、網目形状としてランダムパターンを用いる場合には、ボロノイ図形やドロネー図形等のランダム図形、およびこれらのランダム図形を任意の方向に拡大あるいは縮小した図形を用いることができる。本来、これらのランダムパターンには周期は無いが、本発明では、前述の通り、少なくとも１０平方ミリメートルのパターン領域内において規則性が維持されていなければランダムパターンとする。従って例えば１６平方ミリメートルの大きさの領域を基本図形とし、その基本図形を繰り返すことでランダムパターンを形成することも可能である。この基本図形の周期としては、センサー部１１、あるいはダミー部１２が並ぶ方向に周期が有る場合、例えば図１においては、センサー部１１およびダミー部１２はｙ方向に周期Ｌにて並んでいるが、その場合、該基本図形のｙ方向の周期（Ｂｙ）は周期Ｌの整数倍（Ｂｙ＝ＱＬ、ただし、Ｑは任意の自然数を表す）、あるいは、該基本図形のｙ方向の周期（Ｂｙ）はその周期Ｌの倍の長さの整数分の１である（Ｂｙ＝２Ｌ／Ｓ、ただし、Ｓは任意の自然数を表す）ことが好ましい。また、センサー部１１やダミー部１２が伸びる方向（図１におけるｘ方向）に対し、センサー部１１あるいはダミー部１２の形状に周期が有る場合（図１における周期Ｍ）や、あるいは投影型静電容量方式のタッチパネルを作製する際に、対になる光透過性導電材料があり、かつ該光導電性材料に、前述のセンサー部１１やダミー部１２が伸びる方向に周期が有る場合（図示せず）、これらの周期に対し、該基本図形のセンサー部１１やダミー部１２が伸びる方向（図１中のｘ方向）の周期Ｂｘは、該周期（例えば図１におけるＭ）の整数倍（Ｂｘ＝ＲＭ、ただしＲは任意の自然数を表す）、もしくは該周期（例えば図１におけるＭ）の２倍の長さの整数分の１（Ｂｘ＝２Ｍ／Ｔ、ただし、Ｔは任意の自然数を表す）であることが好ましい。これにより、ランダムパターンを用いた際の特有の問題であった「砂目」を改善することが可能となる。
【００２５】
さらに本発明において、ランダムパターンあるいはランダムパターンを任意の方向に拡大あるいは縮小した基本図形を繰り返す場合、センサー部１１とダミー部１２においてそれぞれ別の基本図形を利用し、その際、センサー部１１のｘ方向あるいはｙ方向の周期が、ダミー部１２のｘ方向あるいはｙ方向のそれぞれの周期よりも小さいことが好ましく、ｘ方向およびｙ方向の両方向において、ダミー部１２の周期よりもセンサー部１１の周期の方が小さいことがより好ましい。これにより上述した「砂目」を、さらに改善することが可能となる。
【００２６】
本発明において、ダミー部１２内の金属細線パターンは断線部を有する。断線部としては金属細線パターンの一部を欠損させる形で設けることも良いし、例えば特許文献４の図６で記載されているような、境界線に沿って、網目形状を特定の方向にずらす方法などを用いることもできる。また断線部を設けることにより発生するセンサー部１１とダミー部１２の開口率（センサー部１１あるいはダミー部１２の面積に対する、金属細線の無い部分が占める面積の割合）の差を小さくするため、ダミー部１２における金属細線パターンの線幅を、センサー部１１の金属細線パターンの線幅より太くしたり、あるいはダミー部１２の金属細線パターンの一部の線幅を太くすることなどしても良い。断線部の幅は、長すぎるとセンサー部１１とダミー部１２の開口率の差が大きくなり、ダミー部１２とセンサー部１１との差が見やすくなる。一方、断線部の幅が狭すぎると製造工程の不具合で断線部が繋がってしまう（短絡が生じてしまう）場合がある。このため断線部の幅（断線長さ）は１〜２０μｍであることが好ましく、より好ましくは２〜１０μｍである。また断線部を設ける位置としては多角形の辺上でも良いし、頂点上でも良いが、確実に電気的接続を絶つ理由から多角形の辺上に断線部を設けることが好ましい。
【００２７】
本発明ではダミー部内の金属細線パターンが下記１）の要件を満たす領域、および／または２）の要件を満たす領域を有する。
１）断線部を有さない多角形と頂点を共有する全ての多角形が、少なくとも１つの断線部を有する。
２）辺または頂点を共有しかつ断線部を有さない２つの多角形と頂点を共有する全ての多角形が、少なくとも１つの断線部を有する。
【００２８】
上記１）の要件を説明するのに図２を用いる。図２は図１のセンサー部１１とダミー部１２の一部を拡大した、本発明の光透過性導電材料の一例を示す概略拡大図である。図２においてセンサー部１１およびダミー部１２は、菱形（例えば菱形２１や、菱形２２ａ〜２２ｈ、菱形２４など）を単位図形とし、この単位図形が集まってできた網目形状の金属細線パターンを有する。図２中太線で示した菱形２１（説明のため太線で示したものであり、実際の金属細線が太いわけではない）は断線部を有さない。一方、菱形２１と頂点を共有する８ヶの菱形２２ａ〜２２ｈは全て少なくとも１つの断線部を有する。例えば菱形２２ａは断線部を４つ有し、菱形２２ｂは断線部を２つ有する。断線部は、菱形２２ａ〜２２ｈの辺を構成する金属細線パターンを、距離ｃだけ欠損させることにより設けられている。図２ではダミー部１２内で上記１）の要件を満たす領域を、領域２３として示した。図２中の「＋」で網掛けされた部分が領域２３に相当する。なお、本発明において上記１）の要件を満たす領域の面積は、ダミー部１２の面積の５０％以上であることが好ましく、これにより、骨見えと短絡の発生が、とりわけ低減された光透過性導電材料を得ることが可能となる。なお、センサー部１１とダミー部１２の境界上（仮の境界線ａ上に）に、上記１）の要件を満たす単位図形が存在する場合、例えば図２では、断線部を有さない菱形２４の周囲に、該菱形２４と頂点を共有する菱形２５ａ〜２５ｈが存在し、該菱形２５ｅ、菱形２５ｆ、菱形２５ｇ等は仮の境界線ａと重なっているが、このような場合、上記１）の条件を満たす領域を計算する時には、菱形２５ｅ、菱形２５ｆ、菱形２５ｇのダミー部１２内に位置する部分の面積のみを計算に加え、菱形２５ｅ、菱形２５ｆ、菱形２５ｇ内であってもセンサー部１１内に位置する部分の面積は、計算に加えない。
なお、図２に示すように、上記１）の要件を満たす領域２３の面積には、上記１）の要件を判断するための基準となる、断線部を有さない多角形（図２における菱形２１、菱形２４）の面積を含む。
【００２９】
次に、上記２）の要件について、図３を用いて説明する。
図３は図１のセンサー部１１とダミー部１２の一部を拡大した、本発明の光透過性導電材料のまた別の一例を示す概略拡大図である。図３においてセンサー部１１およびダミー部１２は、菱形（例えば菱形３１や、菱形３３ａ〜３３ｊ、菱形３６など）を単位図形とし、この単位図形が集まってできた網目形状の金属細線パターンを有する。図３中太線で示した菱形３１と菱形３２は辺を共有している（ここも説明のため太線で示したものであり、実際の金属細線が太いわけではない）。この辺を共有している菱形３１および菱形３２は断線部を有さず、またこの菱形３１および菱形３２と頂点を共有する菱形３３ａ〜３３ｊは全て、少なくとも１つの断線部を有する。例えば菱形３３ａは断線部を４つ有し、菱形３３ｂは断線部を２つ有する。図３ではダミー部１２内で上記した２）の要件を満たす領域を、領域３４として示した。図３中の「＋」で網掛けされた部分が領域３４に相当する。なお、本発明において上記した２）の要件を満たす領域の面積は、ダミー部１２の面積の５０％以上であることが好ましく、上記１）の要件と同様、これにより骨見えと短絡の発生が、とりわけ低減された光透過性導電材料を得ることが可能となる。なお、センサー部１１とダミー部１２の境界上（仮の境界線ａ上に）に、上記２）の要件を満たす単位図形が存在する場合、例えば図３では、辺を共有し、かつ断線部を有さない菱形３５、菱形３６の周囲には、該菱形３５および菱形３６と頂点を共有する菱形３７ａ〜３７ｊが存在し、例えば菱形３７ｆは仮の境界線ａと重なっているが、このような場合、上記２）の条件を満たす領域を計算する時には、菱形３７ｆのダミー部１２内に位置する部分の面積のみを計算に加え、菱形３７ｆ内であってもセンサー部１１内に位置する部分の面積は、計算に加えない。
なお、図３において「＋」で網掛けした領域３４で示すように、上記２）の要件を満たす領域の面積には、上記２）の要件を判断するための基準となる、辺を共有し断線部を有さない２つの多角形の面積（菱形３１および菱形３２、並びに、菱形３５および菱形３６）を含むものとする。
【００３０】
さらに、上記２）の要件について、図１３を用いて説明する。
図１３は、図１のセンサー部１１とダミー部１２の一部を拡大した、本発明の光透過性導電材料のまた別の一例を示す概略拡大図である。図１３においてセンサー部１１およびダミー部１２は、菱形（例えば菱形５１や５２、菱形５３ａ〜５３ｌなど）を単位図形とし、この単位図形が集まってできた網目形状の金属細線パターンを有する。図１３中太線で示した菱形５１と菱形５２は頂点を共有している（ここも説明のため太線で示したものであり、実際の金属細線が太いわけではない）。この頂点を共有している菱形５１および菱形５２は断線部を有さず、またこの菱形５１および菱形５２と頂点を共有する菱形５３ａ〜５３ｌは全て、少なくとも１つの断線部を有する。例えば菱形５３ａは断線部を３つ有し、菱形５３ｂは断線部を４つ有し、菱形５３ｃは断線部を２つ有する。図１３ではダミー部１２内で、上記した２）の要件を満たす領域を、領域５４として示した。図１３中の「＋」で網掛けされた部分が領域５４に相当する。
なお、図１３において「＋」で網掛けした領域５４で示すように、上記２）の要件を満たす領域の面積には、上記２）の要件を判断するための基準となる、頂点を共有し断線部を有さない２つの多角形の面積（菱形５１および菱形５２）を含むものとする。
【００３１】
なお、本発明の光透過性導電材料を構成するダミー部は、上記１）の要件を満たす領域と上記２）の要件を満たす領域の両方を有していてもよい。上記１）の要件を満たす領域と上記２）の要件を満たす領域の合計面積の割合（以下、１）および／または２）の要件を満たす領域の割合ともいう）は、ダミー部の面積の５０％以上であることが好ましい。なお、上記合計面積を算出する際に、上記１）の要件を満たす領域と上記２）の要件を満たす領域が重複する場合、当該領域は上記１）の要件を満たす領域あるいは上記２）の要件を満たす領域のいずれか一方として計算するものとし、当該領域の面積を重複して計算しないものとする。
【００３２】
本発明においてセンサー部１１、ダミー部１２、周辺配線部１４、および端子部１５は、金属により形成されることが好ましく、特に金、銀、銅、ニッケル、アルミニウム、およびこれらの複合材により形成されることが好ましい。上述のセンサー部１１、ダミー部１２、周辺配線部１４、および端子部１５を形成する方法としては、銀塩感光材料を用いる方法、同方法を用いさらに得られた銀画像に無電解めっきや電解めっきを施す方法、スクリーン印刷法を用いて銀ペースト、銅ペーストなどの導電性インクを印刷する方法、銀インクや銅インクなどの導電性インクをインクジェット法で印刷する方法、あるいは蒸着やスパッタなどで導電性層を形成し、その上にレジスト膜を形成し、露光、現像、エッチング、レジスト層除去することで得る方法、銅箔などの金属箔を貼り、さらにその上にレジスト膜を形成し、露光、現像、エッチング、レジスト層除去することで得る方法など、公知の方法を用いることができる。中でも金属により形成されるパターンの厚みが薄くでき、さらに極微細なパターンも容易に形成できる銀塩拡散転写法を用いることが好ましい。パターンの厚みは厚すぎると後工程が困難になる場合があり、また薄すぎるとタッチパネルとして必要な導電性を確保し難くなる。よって、金属により形成されるパターンの厚みは０．０１〜５μｍが好ましく、より好ましくは０．０５〜１μｍである。本発明の光透過性導電材料は光透過性支持体の片面に、センサー部１１、ダミー部１２、周辺配線部１４、および端子部１５を有していても良いし、あるいはこれらを光透過性支持体の両面に有していても良い。なお、銀塩拡散転写法については、例えば先に記載した、特開２００３−７７３５０号公報、特開２００５−２５０１６９号公報、および特開２００７−１８８６５５号公報等に詳しく記載されている。
【００３３】
本発明の光透過性導電材料が有する光透過性支持体としては、プラスチック、ガラス、ゴム、セラミックス等が好ましく用いられる。これら光透過性支持体の全光線透過率は６０％以上であることが好ましい。プラスチックの中でも、フレキシブル性を有する樹脂フィルムは、取扱い性が優れている点で好適に用いられる。光透過性支持体として使用される樹脂フィルムの具体例としては、ポリエチレンテレフタレート（ＰＥＴ）やポリエチレンナフタレート（ＰＥＮ）等のポリエステル樹脂、アクリル樹脂、エポキシ樹脂、フッ素樹脂、シリコーン樹脂、ポリカーボネート樹脂、ジアセテート樹脂、トリアセテート樹脂、ポリアリレート樹脂、ポリ塩化ビニル、ポリスルフォン樹脂、ポリエーテルスルフォン樹脂、ポリイミド樹脂、ポリアミド樹脂、ポリオレフィン樹脂、環状ポリオレフィン樹脂等からなる厚さ５０〜３００μｍの樹脂フィルムが挙げられる。光透過性支持体には易接着層など公知の層が設けられていても良い。
【００３４】
本発明の光透過性導電材料は前述した光透過性支持体や易接着層、および金属細線パターンにより形成されたセンサー部やダミー部等を有する光透過性の導電層以外に、ハードコート層、反射防止層、粘着層、防眩層など公知の層を、光透過性支持体と光透過性の導電層との間や、該光透過性の導電層を有さない側の光透過性支持体の面上、あるいは該光透過性の導電層上に設けることができる。また、光透過性支持体と光透過性の導電層との間に、物理現像核層などを設けることができる。
【実施例】
【００３５】
以下、本発明に関し実施例を用いて詳細に説明するが、本発明はその要旨を超えない限り、以下の実施例に限定されるものではない。
【００３６】
＜光透過性導電材料の作製＞
光透過性支持体として、厚み１００μｍのポリエチレンテレフタレートフィルムを用いた。なおこの光透過性支持体の全光線透過率は９１％であった。
【００３７】
次に下記処方に従い、下記の物理現像核層塗液を作製し、光透過性支持体上に塗布、乾燥して物理現像核層を設けた。
【００３８】
＜硫化パラジウムゾルの調製＞
Ａ液    塩化パラジウム                                ５ｇ
塩酸                                        ４０ｍｌ
蒸留水                                  １０００ｍｌ
Ｂ液    硫化ソーダ                                ８．６ｇ
蒸留水                                  １０００ｍｌ
Ａ液とＢ液を撹拌しながら混合し、３０分後にイオン交換樹脂の充填されたカラムに通し硫化パラジウムゾルを得た。
【００３９】
＜物理現像核層塗液の調製＞各１ｍ２あたり
調製した硫化パラジウムゾル                        ０．４ｍｇ
２質量％グリオキザール水溶液                      ０．２ｍｌ
下記一般式（１）で示される界面活性剤（Ｓ−１）        ４ｍｇ
デナコールＥＸ−８３０                              ５０ｍｇ
（ナガセケムテックス（株）製ポリエチレングリコールジグリシジルエーテル）
１０質量％ＳＰ−２００水溶液                      ０．５ｍｇ
（（株）日本触媒製ポリエチレンイミン；平均分子量１０，０００）
【００４０】
【化１】
0006571594.tif 000002
【００４１】
続いて、光透過性支持体に近い方から順に下記組成の中間層、ハロゲン化銀乳剤層、および保護層を上記物理現像核層の上に塗布、乾燥して、銀塩感光材料を得た。ハロゲン化銀乳剤は、写真用ハロゲン化銀乳剤の一般的なダブルジェット混合法で製造した。このハロゲン化銀乳剤は、塩化銀９５モル％と臭化銀５モル％で、平均粒径が０．１５μｍになるように調製した。このようにして得られたハロゲン化銀乳剤を定法に従いチオ硫酸ナトリウムと塩化金酸を用い、金イオウ増感を施した。こうして得られたハロゲン化銀乳剤は銀１ｇあたり０．５ｇのゼラチンを含む。
【００４２】
＜中間層組成／１ｍ２あたり＞
ゼラチン                                          ０．５ｇ
上記一般式（１）で示される界面活性剤（Ｓ−１）        ５ｍｇ
下記一般式（２）で示される染料１                      ５ｍｇ
【００４３】
【化２】
0006571594.tif 000003
【００４４】
＜ハロゲン化銀乳剤層組成／１ｍ２あたり＞
ゼラチン                                          ０．５ｇ
ハロゲン化銀乳剤                                  ３．０ｇ銀相当
１−フェニル−５−メルカプトテトラゾール              ３ｍｇ
上記一般式（１）で示される界面活性剤（Ｓ−１）      ２０ｍｇ
【００４５】
＜保護層組成／１ｍ２あたり＞
ゼラチン                                              １ｇ
不定形シリカマット剤（平均粒径３．５μｍ）          １０ｍｇ
上記一般式（１）で示される界面活性剤（Ｓ−１）      １０ｍｇ
【００４６】
このようにして得た銀塩感光材料と、図１に示すパターンを有する透過原稿を密着し、水銀灯を光源とする密着プリンターで４００ｎｍ以下の光をカットする樹脂フィルターを介して露光した。なお、センサー部１１は線幅５μｍ、長軸対角線長さが５５５．５６μｍ、短軸対角線長さが３５７．１４μｍの菱形（一方の頂点の角度は７５°）の単位図形からなる。上述の短軸対角線長さはｙ方向における単位図形の周期（Ｐｙ）に相当し、該短軸対角線長さは、図１におけるセンサー部の周期Ｌ（４．９９９９６ｍｍ）の２倍の長さの２８分の１である。さらに上述の長軸対角線長さは、ｘ方向における単位図形の周期（Ｐｘ）に相当し、該長軸対角線長さは図１におけるセンサー部の周期Ｍ（５．００００４ｍｍ）の２倍の長さの１８分の１である。ダミー部１２はセンサー部１１と同じ形状の単位図形であるが、図２で示すように、断線部を有さない菱形２１と頂点を共有する菱形２２ａ〜２２ｈは断線部を有し、菱形２２ａ、菱形２２ｃ、菱形２２ｅ、および菱形２２ｇは４つの断線部を有し、菱形２２ｂ、菱形２２ｄ、菱形２２ｆ、および菱形２２ｈは２つの断線部を有する。その他に存在する断線箇所は、仮の境界線ａ上も含め図２中に示した通りである。また個々の菱形が有する断線部の断線幅（図２におけるＣ）は７μｍである。なお、図２のパターンでは、本発明の１）の要件を満たす領域の割合は８９．７％である。
【００４７】
その後、下記拡散転写現像液中に２０℃で６０秒間浸漬した後、続いてハロゲン化銀乳剤層、中間層、および保護層を４０℃の温水で水洗除去し、乾燥処理した。こうして図１の透過原稿と鏡像の関係になる形状のパターンを有する光透過性導電材料１を得た。なお、得られた光透過性導電材料１の線幅、線間隔等は透過原稿と全く同じであった。また得られたパターンの膜厚は共焦点顕微鏡で調べ、０．１μｍであった。
【００４８】
＜拡散転写現像液組成＞
水酸化カリウム                                      ２５ｇ
ハイドロキノン                                      １８ｇ
１−フェニル−３−ピラゾリドン                        ２ｇ
亜硫酸カリウム                                      ８０ｇ
Ｎ−メチルエタノールアミン                          １５ｇ
臭化カリウム                                      １．２ｇ
全量を水で１０００ｍｌ
ｐＨ＝１２．２に調整する。
【００４９】
＜光透過性導電材料２の作製＞
図１に示すパターンを有する透過原稿であって、ダミー部１２が図３に示す細線パターン（太線部は断線部を有さない菱形を示す）を有する以外は、光透過性導電材料１の作製と同様にして、光透過性導電材料２を得た。なお、得られた光透過性導電材料２の線幅、線間隔等は透過原稿と同じであり、個々の菱形が有する断線部の断線幅は７μｍである。ダミー部内において本発明の２）の要件を満たす領域の割合は８１．０％である。
【００５０】
＜光透過性導電材料３の作製＞
図１に示すパターンを有する透過原稿であって、ダミー部１２が図４に示す細線パターン（太線部は断線部を有さない菱形を示す）を有する以外は、光透過性導電材料１の作製と同様にして、光透過性導電材料３を得た。なお、得られた光透過性導電材料３の線幅、線間隔等は透過原稿と同じであり、個々の菱形が有する断線部の断線幅は７μｍである。ダミー部内において本発明の１）の条件を満たす領域の割合は６９．４％である。
【００５１】
＜光透過性導電材料４の作製＞
図１に示すパターンを有する透過原稿であって、ダミー部１２が図５に示す細線パターン（太線部は断線部を有さない菱形を示す）を有する以外は、光透過性導電材料１の作製と同様にして、光透過性導電材料４を得た。なお、得られた光透過性導電材料４の線幅、線間隔等は透過原稿と同じであり、個々の菱形が有する断線部の断線幅は７μｍである。ダミー部内において、本発明の１）の要件を満たす領域の割合は７７．７％である。
【００５２】
＜光透過性導電材料５の作製＞
図１に示すパターンを有する透過原稿であって、ダミー部１２が図６に示す細線パターン（太線部は断線部を有さない菱形を示す）を有する以外は、光透過性導電材料１の作製と同様にして、光透過性導電材料５を得た。なお、得られた光透過性導電材料５の線幅、線間隔等は透過原稿と同じであり、個々の菱形が有する断線部の断線幅は７μｍである。ダミー部内において、本発明の１）の要件を満たす領域の割合は５２．５％である。
【００５３】
＜光透過性導電材料６の作製＞
図１に示すパターンを有する透過原稿であって、ダミー部１２が図７に示す細線パターン（太線部は断線部を有さない菱形を示す）を有する以外は、光透過性導電材料１の作製と同様にして、光透過性導電材料６を得た。なお、得られた光透過性導電材料６の線幅、線間隔等は透過原稿と同じであり、個々の菱形が有する断線部の断線幅は７μｍである。ダミー部内において本発明の１）の要件を満たす領域の割合は４６．６％である。
【００５４】
＜光透過性導電材料７の作製＞
図１に示すパターンを有する透過原稿であって、ダミー部１２が図８に示す細線パターン（太線部は断線部を有さない菱形を示す）を有する以外は、光透過性導電材料１の作製と同様にして、光透過性導電材料７を得た。なお、得られた光透過性導電材料７の線幅、線間隔等は透過原稿と同じであり、個々の菱形が有する断線部の断線幅は７μｍである。ダミー部内において本発明の１）の要件を満たす領域の割合は６７．４％である。
【００５５】
＜光透過性導電材料８の作製＞
図１に示すパターンを有する透過原稿であって、ダミー部１２が図９に示す細線パターン（太線部は断線部を有さない菱形を示す）を有する以外は、光透過性導電材料１の作製と同様にして、光透過性導電材料８を得た。なお、得られた光透過性導電材料の線幅、線間隔等は透過原稿と同じであり、個々の菱形が有する断線部の断線幅は７μｍである。ダミー部内において本発明の１）の要件を満たす領域の割合は４８．９％である。
【００５６】
＜光透過性導電材料９の作製＞
図１に示すパターンを有する透過原稿であって、ダミー部１２が、図２に示す細線パターンを有するが、ダミー部内の全ての菱形が有する辺の中点に断線幅が７μｍの断線部が設けられている以外は、光透過性導電材料１の作製と同様にして、光透過性導電材料９を得た。なお、得られた光透過性導電材料の線幅、線間隔等は透過原稿と同じである。ダミー部内において本発明の１）または２）の要件を満たす領域の割合は０％である。
【００５７】
＜光透過性導電材料１０の作製＞
図１に示すパターンを有する透過原稿であって、ダミー部１２が、図１０に示す細線パターン（太線部は断線部を有さない菱形であって、下述する菱形４４に相当する菱形を示す）を有する以外は、光透過性導電材料１の作製と同様にして、光透過性導電材料１０を得た。図１０中、菱形４４は断線部を有さず、該菱形４４と頂点を共有する菱形４４ａ〜４４ｈのうち、菱形４４ｂ、４４ｄ、４４ｆおよび４４ｈは断線部を有さない。なお、得られた光透過性導電材料の線幅、線間隔等は透過原稿と同じであり、菱形４４ａ、４４ｃ、４４ｅ、および４４ｇが有する断線部の断線幅は７μｍである。ダミー部内において本発明の１）または２）の要件を満たす領域の割合は０％である。
【００５８】
＜光透過性導電材料１１の作製＞
図１に示すパターンを有する透過原稿であって、センサー部１１、ダミー部１２の細線パターン形状が図１１の１１−ｂで示したボロノイ図形を有しており、該ボロノイ図形では断線部を有さない多角形Ｂ１と頂点を共有する全ての多角形Ｂ１ａ〜Ｂ１ｆはそれぞれ４つの断線部を有する。断線部の断線幅は何れも７μｍであり、各ボロノイ辺の線幅は５μｍである。また前述の通り、図１におけるセンサー部の周期Ｌは４．９９９９６ｍｍであるが、１１−ｂでは基本図形のｙ方向の周期（Ｂｙ）は存在していない。このような透過原稿を用いた以外は光透過性導電材料１の作製と同様にして、光透過性導電材料１１を得た。なお、得られた光透過性導電材料１１の線幅、線間隔等は透過原稿と同じである。またダミー部内において本発明の１）の要件を満たす領域の割合は９２．３％である。
【００５９】
＜ボロノイ図形からなる細線パターンの作製方法＞
先の図２で示した菱形（長軸対角線長さ（Ｙ方向の対角線長さ）が５５５．５６μｍ、短軸対角線長さが３５７．１４μｍの菱形）によって平面を充填し、個々の菱形の中にそれぞれ１つ母点をランダムに配置する（図１１の１１−ａにおける母点１０１）。次に任意の母点１０１に対して最も近い領域と、近接する母点１０１に最も近い領域とを境界線で区切ることで（任意の母点１０１と近接する母点１０１とを結んだ線分の垂直二等分線によって）、ボロノイ辺１０２を引いて細線パターンを作製した。また下記断線部の作製方法に従って、ボロノイ図形に断線部を設けた。
【００６０】
＜断線部の作製方法＞
先の図２で示した菱形によって平面を充填し、個々の菱形の中に、それぞれ１つ母点１０１をランダムに配置する。次に任意の菱形が有する母点と、該菱形と辺を共有する菱形とが有する母点とが連続しないように、母点１０１を一個間隔で選ぶ。このようにして選んだ母点は図１１の１１−ａ中、黒丸で示した母点１０３となる。この母点１０３を囲むボロノイ辺により得られた多角形Ｂ１には断線部を設けず、該多角形Ｂ１と頂点を共有する多角形Ｂ１ａ〜Ｂ１ｆの全ての辺の中で、多角形Ｂ１と共有しない辺の全ての辺の中点に断線部を設けた。なお、センサー部１１内に入るボロノイ辺には断線部を設けず、センサー部１１とダミー部１２の境界上（仮の境界線ａ上）に、断線部を設けた。
【００６１】
＜光透過性導電材料１２の作製＞
図１に示すパターンを有する透過原稿であって、ダミー部１２が図１２に示す細線パターン（太線部は断線部を有さない菱形を示す）を有する以外は、光透過性導電材料１の作製と同様にして、光透過性導電材料１２を得た。なお、得られた光透過性導電材料の線幅、線間隔等は透過原稿と同じである。またダミー部内において、本発明の１）の要件を満たす領域および２）の要件を満たす領域の合計の割合は８４．５％である。
なお、図１２に示すダミー部１２には、１）の要件と２）の要件を両方満たす多角形が存在するが、該多角形は１）の要件を満たす領域としてカウントした。
【００６２】
＜光透過性導電材料１３の作製＞
図１に示すパターンを有する透過原稿であって、ダミー部１２が図１３に示す細線パターン（太線部は断線部を有さない菱形を示す）を有する以外は、光透過性導電材料１の作製と同様にして、光透過性導電材料１３を得た。なお、得られた光透過性導電材料の線幅、線間隔は透過原稿と同じである。また、ダミー部内において、本発明の２）の要件を満たす領域の割合は７４．３％である。
【００６３】
得られた光透過性導電材料１〜１３について、骨見え、短絡、静電容量について、後述の通り試験して評価した。結果を表１に示す。
【００６４】
＜骨見えの評価＞
外光の入らない部屋で、黒いテーブルの上に、得られた光透過性導電材料の金属細線パターンを有する側の面を上側に置き、３波長蛍光灯を３０ｃｍ離れた位置の上方から照射し、テーブル面に対し３０°の角度から観察して、センサー部とダミー部の形状が視認できるか否かを調べた。光透過性導電材料の面から１００ｃｍ離れた位置から観察し、センサー部とダミー部が視認できるレベルを「１」（不良：遠方からでも骨見えが確認できる）、光透過性導電材料から５０ｃｍ離れた位置から観察し、センサー部とダミー部が視認できるレベルを「２」（不可：骨見えが確認できる）、光透過性導電材料から２０ｃｍ離れた位置から観察し、センサー部とダミー部が視認できるレベルを「３」（良：至近距離で僅かに骨見えが確認できる）、光透過性導電材料から２０ｃｍ離れた位置から観察しても、センサー部とダミー部が視認できなかったレベルを「４」（優：至近距離でも骨見えが確認できない）として評価した。
【００６５】
＜短絡の評価＞
上述した光透過性導電材料１〜１３の作製において各光透過性導電材料をそれぞれ１００枚作製し、図１のパターンにおいて電気的に接続されている左右の配線部１５間の回路とその隣の回路で短絡を起こしている枚数の割合にて評価した。
【００６６】
＜静電容量の測定＞
図１４に示す形状を有する透過原稿を用いて光透過性導電材料を作製する以外は光透過性導電材料１の作製と同様にして、ｙ方向にセンサー部が伸びている光透過性導電材料を得た。なお、図１４においてセンサー部１１はｙ方向に伸び、ｘ方向に周期４．９９９９６ｍｍ（図１４中、Ｍに相当）で並んでおり、さらにｙ方向に周期５．００００４ｍｍにてダイヤモンド形状４１が並んで連結したパターンになっている。またセンサー部１１はベタからなるパターン（網目状ではなく全面に塗り潰しパターンの配線が存在するパターン）であり、センサー部１１と、これに隣接するセンサー部１１の間には配線はない。それぞれのセンサー部１１は周辺配線部１４を介して端子部１５と電気的に繋がっている。得られたｙ方向にセンサー部が伸びている光透過性導電材料の金属パターン面側に日栄化工（株）製ＯＣＡ（ＭＨＭ−ＦＷＤ１７５）を貼合した。続いて、ｘ方向にセンサー部が伸びている光透過性導電材料１〜１３の光透過性支持体面側にｙ方向にセンサー部が伸びている光透過性導電性材料のＯＣＡ貼合面を、ｙ方向にセンサー部が伸びている光透過性導電材料のセンサー部１１の領域と光透過性導電材料１〜１３のダミー部１２の領域とが投影的に丁度重なるよう、それぞれ貼合した。
このようにして貼合して得られた導電材料積層体を、光透過性導電材料１〜１３のそれぞれについて、１０セット作製した。
なお、この貼合の際に、ｙ方向にセンサー部が伸びている光透過性導電材料および光透過性導電材料１〜１３の一部を貼合前に切断してそれぞれの端子部１５が剥き出しになるようした。得られた貼合品のｙ方向にセンサー部が伸びている光透過性導電材料の全ての端子部１５と、光透過性導電材料１〜１３の全ての端子部１５との間の静電容量をＬ／Ｃメーター（Ａｇｉｌｅｎｔ社製Ｕ１７３１Ｃ）を用いて測定し、これらの平均値を求めた。この平均値が低いほど、高感度なタッチパネルが得られていることを示す。
【００６７】
【表１】
0006571594.tif 000004
【００６８】
表１より、本発明の１）の要件を満たす領域、および／または２）の要件を満たす領域を有する光透過性導電材料１〜８および１１〜１３には骨見えがほとんどみられないことが確認でき、本発明の効果が良く判る結果となった。
【符号の説明】
【００６９】
１  光透過性導電材料
２  光透過性支持体
１１  センサー部
１２  ダミー部
１３  非画像部
１４  周辺配線部
１５  端子部
２１、２２ａ〜２２ｈ、２４、２５ａ〜２５ｈ、３１、３２、３３ａ〜３３ｊ、３５、３６、３７ａ〜３７ｊ、５１、５２、５３ａ〜５３ｌ  菱形
Ｂ１、Ｂ１ａ〜Ｂ１ｆ  多角形
４１  ダイヤモンド形状
ａ  仮の境界線
Ｌ、Ｍ  周期
【図１】
0006571594.tif 000005
【図２】
0006571594.tif 000006
【図３】
0006571594.tif 000007
【図４】
0006571594.tif 000008
【図５】
0006571594.tif 000009
【図６】
0006571594.tif 000010
【図７】
0006571594.tif 000011
【図８】
0006571594.tif 000012
【図９】
0006571594.tif 000013
【図１０】
0006571594.tif 000014
【図１１】
0006571594.tif 000015
【図１２】
0006571594.tif 000016
【図１３】
0006571594.tif 000017
【図１４】
0006571594.tif 000018